【事件の表示】
　平成１１年特許願第３２３２０４号「情報処理装置及びその方法」拒絶査定不服審判事件〔平成１３年　５月２２日出願公開、特開２００１−１３８６０７〕について、次のとおり審決する。
【結　論】
　本件審判の請求は、成り立たない。
【理　由】
１．手続の経緯・本願発明
　本願は、平成１１年１１月１２日の出願であって、平成１８年４月２７日付けで通知した拒絶理由に対して、同年７月５日付けで手続補正書が提出されたが、同年１０月２日付けで拒絶査定がなされ、これに対し、同年１１月６日付けで審判請求がなされたものである。
　
　本願の請求項１〜６に係る発明は、平成１８年７月５日付けの手続補正書により補正された特許請求の範囲の請求項１〜６に記載された事項により特定されるとおりのものと認められるところ、その請求項１に係る発明（以下、「本願発明１」という。）は次のとおりである。
　
　「【請求項１】オペレータが、手差し給紙を指定して印刷指示したかどうかを判定する手差し判定手段と、
　前記手差し判定手段での判定の結果、手差し給紙が指定されていた場合に、用紙をプリンタの手差し給紙口にセットするように促す表示を行なう表示手段と、
　プリンタの手差し給紙口に用紙がセットされているかどうかを検知する用紙セット検知手段と、
　前記表示手段による表示を、任意のタイミングで終了させる表示終了手段と、
　前記手差し給紙口にセットされた用紙に対し画像記録を開始する記録開始手段とを有し、
　前記表示終了手段で前記表示手段による表示を終了させたにもかかわらず、前記用紙セット検知手段がプリンタの手差し給紙口に用紙がセットされていないことを検知した場合には、前記表示手段による用紙をプリンタの手差し給紙口にセットするように促す表示を再び行い、前記用紙セット検知手段がプリンタの手差し給紙口に用紙がセットされたことを検知した場合には、前記表示を終了し、印刷データをプリンタエンジンに転送し、前記記録開始手段による画像記録を開始することを特徴とする情報処理装置。」
　
　
２．引用例の記載事項
　これに対して、原査定の拒絶理由に引用された、本願出願前に頒布された特開平１１−１９４９００号公報（以下、「刊行物１」という。）には、図面ともに以下の事項が記載されている。なお、下線は当審で付した。
　
　（ａ）「【０００１】【発明の属する技術分野】本発明は、パーソナルコンピュータ（以下、「パソコン」という）等の外部端末装置からの画データを記録紙にプリント可能なファクシミリ装置等の通信端末装置に関するものである。」
　
　（ｂ）「【０００４】一方、手差し給紙部の記録紙に対するプリントは、パソコンからの画データを受けて行われることが多く、ファクシミリやコピーによる画データをプリントすることはあまりない。このため、従来のファクシミリ装置等においては手差し給紙部に記録紙がセットされていないときには、画データを受け付けないようになっている。このため、手差し給紙部に記録紙をセットするのを忘れた状態でパソコンからプリント指令を行った場合、手差し給紙部に記録紙をセットした後に、あらためてプリント指示を行う必要があった。
【０００５】本発明は、上記問題点に鑑みてなされたものであり、その目的は外部端末からの画データを手差し給紙部の記録紙にスムーズにプリントすることができるとともに、ペーパージャムを防止できる通信端末装置を提供することにある。」
　
　（ｃ）図１は、以下のとおりである。　
　
　（ｄ）「【００１０】この実施形態は
コピー・ファクシミリ複合機
図１
ＣＰＵ１は、バス１１を介して複合機Ｔの各部を制御
　【００１１】読取部２は、コピー原稿上の画像を読み取って、白黒２値のイメージデータを出力する。
記録部３は、電子写真方式のプリンタよりなり、受信画データ
を記録紙（カット紙）上にプリント
　【００１２】ＬＣＤ（Liquid Crystal Display）等よりなる
表示部４
操作パネルＰ上に前記表示部４
が配置
　【００１３】画像メモリ８は、受信された画データや読取部２で読み取られた画データを一時的に記憶する。モデム９は、送受信データの変調及び復調を行うものである。ＮＣＵ（Network Control Unit）１０は、電話回線Ｌ１の閉結及び開放を行うとともに、相手先のファックス番号に対応したダイヤルパルスの送出及び着信を検出する機能等を備えている。
　【００１４】
用紙センサ１２
手差し給紙部としての手差しトレイ４８上の記録紙４７（以下、手差し用紙という）の有無を検出
外部端末インタフェース１５は
外部端末装置としてのパソコン１６と複合機Ｔとを
接続
　【００１５】プログラム記録媒体としてのフラッシュメモリ１７は、接続離脱可能なコネクタ１８を介してデータ読取装置１９に接続されている。そして、プログラム記録媒体としての磁気ディスク２０のプログラムデータがデータ読取装置１９により読み取られて、フラッシュメモリ１７に転送記憶される。このプログラムデータは後述する図３のフローチャートを実行するためのものである。
　【００１６】次に、複合機Ｔの主に機械的構成について、図２を用いて説明する。図１に示すように、この複合機Ｔには、原稿給送部２２と、原稿載置部２１と、読取部２と、カット紙供給部２４と、手差し用紙供給部２５と、記録部３と、排出部２７とが装設されている。
　・・・（中略）・・・
　【００２１】前記カット紙供給部２４は、所定サイズのカット紙（以下、記録紙という）４４を積層状態で収容した複数（本実施形態では２つ）のカセット給紙部４３と、各カセット給紙部４３内の記録紙４４を１枚ずつ記録部３に向けて給送する給紙ローラ４５と、手差し用紙４７の給送を案内するとともに搬送ローラ４９を有するガイド通路４６とを備えている。さらに、
手差し用紙供給部２５は、手差し用紙４７を載置するための手差しトレイ４８を備え
　【００２２】手差し用紙４７は、手差しトレイ４８の傾斜を利用してガイド通路４６に送り込まれ、搬送ローラ４９により記録部３に搬送される。従って、記録紙４４と手差し用紙４７とは、その搬送経路の一部を共有する。前記
用紙センサ１２は手差し用紙４７の有無
を検出
　【００２３】前記
記録部３
　
　（ｅ）また、図３は以下のとおりである。
　
　（ｆ）「【００２４】次に、この実施形態の動作を、
図３に示すフローチャート
パソコン１６がインタフェース１５に接続された状態においては、手差しトレイ４８に手差し用紙４７がセットされていない状態においても、ステップＳ１においてパソコン１６に対して手差し用紙４７がセットされた旨を示す信号が出力
　【００２５】次いで、
ステップＳ２においてパソコン１６からこの複合機Ｔに対するデータの転送要求があったことが判別されると
ステップＳ３においてパソコン１６からのデータが受信される
Ｓ４において、パソコン１６からの受信データ内に画像データが含まれているのが確認
　【００２６】ステップＳ５における判断結果が肯定の場合には、ステップＳ６において、１頁分のプリント終了を待って他原稿のプリントが一時中止され、
ステップＳ７において、手差し用紙４７を手差しトレイ４８にセットする要求が行われる
この要求は、表示部４に表示される
ステップＳ８において、用紙センサ１２の出力が検出され
手差し用紙４７が手差しトレイ４８にセットされたと判別されると
ステップＳ９において前記表示が停止され、手差しトレイ４８から手差し用紙４７が搬送されてプリントされた後、排出される
　【００２７】続いて、ステップＳ１０においてプリントが終わっていないパソコン１６からの画データがあるか否かが判定され、手差し用紙４７が未だ残っている場合にはステップＳ７に戻って同じ動作を繰り返し、残っていない場合にはプリント動作を終了し、ステップＳ１１に進行する。
　【００２８】そして、ステップＳ１１において、用紙センサ１２からの出力により手差しトレイ１３に手差し用紙４７が残っているか否かが判定される。残っている場合にはステップＳ１２でブザー等により警報が発せられる。従って、この状態で操作者は手差しトレイ４８から手差し用紙４７を除去して、その後のジャムを防止できる。
　【００２９】その後、ステップＳ１３において、前記ステップＳ６で他の画データのプリントを中断したか否かが判定され、中断した場合にはステップＳ１４で残りの他の画データのプリントが続行される。
　【００３０】次に、本実施形態から見い出せる効果を以下に記載する。
・パソコン１６から複合機Ｔに対してデータ転送要求が行われた場合、実際に手差しトレイ４８に手差し用紙４７がセットされてなくても、複合機Ｔは手差し用紙ありとの情報を出力するため、パソコン１６から画像メモリ８に画データを転送して処理することができる。これにより、手差しトレイ４８に手差し用紙４７をセットした後に、あらためてパソコン１６からプリント指令を行うような手間を省くことができる。
　【００３１】・パソコン１６からの画データを受信した後、手差し用紙４７を要求するメッセージを表示部４に表示するので、手差し用紙４７を手差しトレイ１３に差し込んでセットするタイミングを容易に判別できる。この結果、作業性が向上するばかりでなく、誤って早期に手差し用紙４７をセットしてしまうことによるペーパージャムを防止できる。
　・・・（中略）・・・
　【００３３】なお、前記実施形態は次のように構成して具体化することも可能である。
　・・・（中略）・・・
　【００３６】・
図３のステップＳ１０における判定結果が肯定と判定された後、用紙センサ１２により手差し用紙４７が無くなったと検出された場合には、手差し用紙４７を要求するメッセージを、表示部４の表示にて報知すること
　
　（ｇ）上記（ｆ）には、ステップＳ１〜Ｓ４において、パソコン１６がインタフェース１５に接続された状態においては、手差しトレイ４８に手差し用紙４７がセットされていない状態においても、パソコン１６に対して手差し用紙４７がセットされた旨を示す信号が出力され、パソコン１６からの受信データ内に画像データが含まれているときは、手差し給紙を指定して印刷指示がされたものとして判定されることが、実質的に記載されており、それらを実行する手段は、
手差し判定手段
　手差し給紙を指定して印刷指示がされたと判定されたときには、ステップＳ７において、手差し用紙４７を手差しトレイ４８にセットする要求を表示部４に表示を行うが、その表示を行う
表示手段
　図３からは、
ステップＳ８で、用紙センサ１２の出力が検出されなかった場合には、ステップＳ７に戻り、引き続き、手差し用紙４７を手差しトレイ４８にセットする要求の表示が行われる
　
　また、上記（ｄ）からは、ＣＰＵ１は、バス１１を介して複合機Ｔの各部を制御しており、記録部３に対し、その電子写真方式のプリンタにより、パソコン１６からの受信画データを、手差しトレイ４８にセットされた手差し用紙４７上にプリントすることを指示し、記録部３を制御する機能も有しており、それは、
記録指示制御手段
　
コピー・ファクシミリ複合機Ｔと、外部端末装置としてのパソコン１６とは
システムを構成
　
　以上の記載事項によれば、刊行物１には、次の発明（以下、「刊行物１記載の発明」という。）が記載されているものと認められる。
　
　「パソコン１６がインタフェース１５に接続された状態においては、手差しトレイ４８に手差し用紙４７がセットされていない状態においても、パソコン１６に対して手差し用紙４７がセットされた旨を示す信号が出力され、パソコン１６からの受信データ内に画像データが含まれているときは、手差し給紙を指定して印刷指示がされたものとして判定する、手差し判定手段と、
　手差し用紙４７を手差しトレイ４８にセットする要求を表示部４に表示する、表示手段と、
　手差しトレイ４８上の手差し用紙４７の有無を検出する、用紙センサ１２と、
　電子写真方式のプリンタよりなる記録部３に対し、パソコン１６からの受信画データを、手差しトレイ４８にセットされた手差し用紙４７上にプリントすることを指示し、記録部３を制御する、記録指示制御手段とを有し、
　手差し給紙を指定して印刷指示がされたと判定されたときには、手差し用紙４７を手差しトレイ４８にセットする要求の表示が行われ、
　その後、用紙センサ１２の出力が検出され、手差し用紙４７が手差しトレイ４８にセットされたと判別された場合には、前記表示が停止され、手差しトレイ４８から手差し用紙４７が搬送されてプリントされ、
　用紙センサ１２の出力が検出されなかった場合には、プリントはせずに、引き続き、手差し用紙４７を手差しトレイ４８にセットする要求の表示が行われる、
　コピー・ファクシミリ複合機Ｔと、外部端末装置としてのパソコン１６とからなるシステム。」
　
　
３．対比・判断
　そこで、本願発明１と刊行物１記載の発明とを対比すると、
　刊行物１記載の発明の「手差し用紙４７」「手差しトレイ４８」は、それぞれ、本願発明１の「用紙」「手差し給紙口」に相当する。
　刊行物１記載の発明の「パソコン１６がインタフェース１５に接続された状態においては、手差しトレイ４８に手差し用紙４７がセットされていない状態においても、パソコン１６に対して手差し用紙４７がセットされた旨を示す信号が出力され、パソコン１６からの受信データ内に画像データが含まれているときは、手差し給紙を指定して印刷指示がされたものとして判定する、手差し判定手段」と、本願発明１の「オペレータが、手差し給紙を指定して印刷指示したかどうかを判定する手差し判定手段」とは、「手差し給紙を指定して印刷指示がされたかどうかを判定する手差し判定手段」の点で共通する。
　刊行物１記載の発明の「手差し用紙４７を手差しトレイ４８にセットする要求を表示部４に表示する、表示手段」は、「手差し給紙を指定して印刷指示がされたと判定されたときには、手差し用紙４７を手差しトレイ４８にセットする要求の表示が行われ」るから、本願発明１の「前記手差し判定手段での判定の結果、手差し給紙が指定されていた場合に、用紙をプリンタの手差し給紙口にセットするように促す表示を行なう表示手段」に相当するということができる。
　刊行物１記載の発明の「手差しトレイ４８上の手差し用紙４７の有無を検出する、用紙センサ１２」は、本願発明１の「プリンタの手差し給紙口に用紙がセットされているかどうかを検知する用紙セット検知手段」に相当する。
　刊行物１記載の発明の「電子写真方式のプリンタよりなる記録部３に対し、パソコン１６からの受信画データを、手差しトレイ４８にセットされた手差し用紙４７上にプリントすることを指示する、記録指示制御手段」は、実質的に、本願発明１の「前記手差し給紙口にセットされた用紙に対し画像記録を開始する記録開始手段」に相当する。なお、本願発明１の「記録開始手段」は、本願発明１の他の記載事項である「前記用紙セット検知手段がプリンタの手差し給紙口に用紙がセットされたことを検知した場合には、前記表示を終了し、印刷データをプリンタエンジンに転送し、前記記録開始手段による画像記録を開始する」も勘案し、刊行物１記載の発明の「記録指示制御手段」と同等であると判断した。
　刊行物１記載の発明の「手差し給紙を指定して印刷指示がされたと判定されたときには、手差し用紙４７を手差しトレイ４８にセットする要求の表示が行われ、その後、用紙センサ１２の出力が検出され、手差し用紙４７が手差しトレイ４８にセットされたと判別された場合には、前記表示が停止され、手差しトレイ４８から手差し用紙４７が搬送されてプリントされ」は、
　本願発明１の「前記用紙セット検知手段がプリンタの手差し給紙口に用紙がセットされたことを検知した場合には、前記表示を終了し、印刷データをプリンタエンジンに転送し、前記記録開始手段による画像記録を開始する」に実質的に相当する。
　刊行物１記載の発明の「コピー・ファクシミリ複合機Ｔと、外部端末装置としてのパソコン１６とからなるシステム」は、本願発明１の「情報処理装置」に実質的に相当する。なお、本願の実施例で、コンピュータとプリンタとから構成されるシステムを「情報処理装置」と表現していることから、本願発明１の「情報処理装置」を、コンピュータとプリンタとから構成されるシステムを含む概念として把握して、上記のように判断した。
　
　そうすると、両者の一致点、相違点は以下のとおりと認められる。
　
［一致点］
　「手差し給紙を指定して印刷指示がされたかどうかを判定する手差し判定手段と、
　前記手差し判定手段での判定の結果、手差し給紙が指定されていた場合に、用紙をプリンタの手差し給紙口にセットするように促す表示を行なう表示手段と、
　プリンタの手差し給紙口に用紙がセットされているかどうかを検知する用紙セット検知手段と、
　前記手差し給紙口にセットされた用紙に対し画像記録を開始する記録開始手段とを有し
　前記用紙セット検知手段がプリンタの手差し給紙口に用紙がセットされたことを検知した場合には、前記表示を終了し、印刷データをプリンタエンジンに転送し、前記記録開始手段による画像記録を開始する、
　情報処理装置。」
　
［相違点１］
　手差し判定手段に関して、
　本願発明１は、オペレータが、手差し給紙を指定して印刷指示したかどうかを判定する手差し判定手段であるのに対し、
　刊行物１記載の発明は、パソコン１６がインタフェース１５に接続された状態においては、手差しトレイ４８に手差し用紙４７がセットされていない状態においても、パソコン１６に対して手差し用紙４７がセットされた旨を示す信号が出力され、パソコン１６からの受信データ内に画像データが含まれているときは、手差し給紙を指定して印刷指示がされたものとして判定する、手差し判定手段である点。
　
［相違点２］
　本願発明１は、
　前記表示手段による表示を、任意のタイミングで終了させる表示終了手段を有し、
　前記表示終了手段で前記表示手段による表示を終了させたにもかかわらず、前記用紙セット検知手段がプリンタの手差し給紙口に用紙がセットされていないことを検知した場合には、前記表示手段による用紙をプリンタの手差し給紙口にセットするように促す表示を再び行うのに対し、
　刊行物１記載の発明は、
　オペレータが使用するような表示終了手段を有しておらず、
　手差し用紙４７を手差しトレイ４８にセットする要求の表示が行われた後に、用紙センサ１２の出力が検出されなかった場合には、プリントはせずに、引き続き、手差し用紙４７を手差しトレイ４８にセットする要求の表示が行われる点。
　
　そこで、相違点について検討する。
　
（相違点１について）
　一般に、手差し給紙コマンドを検出する等により、オペレータが手差し給紙を指定して印刷指示したかどうかを、判定することは、文献を示すまでもなく、本願出願前に周知の技術であるから、
　刊行物１記載の発明において、手差し判定手段として、周知技術を採用し、本願発明１のごとく、オペレータが、手差し給紙を指定して印刷指示したかどうかを判定するものとすることは、当業者が容易に想到し得ることである。　
　
（相違点２について）
　一般に、プリンタや複写機等の画像成形装置において、表示部にメッセージが表示され、オペレータが、メッセージ内容を確認したら、ＯＫボタン又は確認ボタンを押して、表示を終了させることは、本願出願前に、周知の技術である。
　例えば、特開平１１−３１０３０号公報には、
　「【００１２】次に、このような構成からなる第１の実施の形態おいて、プリンタ４の電源の入れ忘れ防止の動作例について、図３を参照して説明する。いま、パーソナル・コンピュータ２、３、およびプリンタ４の各電源をオフ状態とし、パーソナル・コンピュータ（ＰＣ）２の電源のみをオンにしたものとする（ステップ１）。次に、パーソナル・コンピュータ２は、Ｐｉｎｇ等の通信コマンドを使用してプリンタ４（図３では、Ｉ／Ｏ装置と記載）の動作状態を調べる（ステップ２、３）。すなわち、パーソナル・コンピュータ２は、プリンタ４の電源がオン状態かオフ状態かを、ネットワークを通じてプリンタ４に問い合わせ、その結果により、プリンタ４の電源がオフか否かを判定する（ステップ３）。
　【００１３】パーソナル・コンピュータ２が、プリンタ４の電源がオフであると判定されたときには（ステップ３；Ｙ）、
パーソナル・コンピュータ２の表示画面上に
メッセージが表示
操作者は、そのポップアップ
メッセージを確認し
ＯＫボタンなどのボタンを押すと
そのポップアップメッセージが表示画面から消され
　また、特開平１０−１４３０２９号公報には、
　「【００２３】また、紙の排出をジャムセンサーで確認後、装置の主電源を切ることで、災害時においてカーテンなどの可燃物が定着器など熱源の近くに動いて本来の安全が確保されなくなった場合においても、複写機に起因する発煙、発火などの二次災害を予防している。
　【００２４】警報解除後の再起動は、
ユーザーの確認を促す警告文章をディスプレイ上に表示
　【００２５】そして、ユーザーが安全を確保した後、
ユーザーが確認ボタンを押し
　ここで、ＯＫボタンや確認ボタンは、本願発明１の「表示手段による表示を、任意のタイミングで終了させる表示終了手段」の具体例ということができる（本願の実施例でもＯＫボタンを用いている）。
　
　そうすると、刊行物１記載の発明において、
「手差し給紙を指定して印刷指示がされたと判定されたときには、手差し用紙４７を手差しトレイ４８にセットする要求の表示が行われ、
　その後、用紙センサ１２の出力が検出され、手差し用紙４７が手差しトレイ４８にセットされたと判別された場合には、前記表示が停止され、手差しトレイ４８から手差し用紙４７が搬送されてプリントされ、
　用紙センサ１２の出力が検出されなかった場合には、プリントはせずに、引き続き、手差し用紙４７を手差しトレイ４８にセットする要求の表示が行われる」という諸手順のなかに、上記の周知技術を適用して、
　「手差し用紙４７を手差しトレイ４８にセットする要求の表示が行われ」た後に、『オペレータが、メッセージ内容を確認したら、ＯＫボタン又は確認ボタンを押して、表示を終了させること』を採用する程度のことは、当業者が容易になし得ることである。
　
　そして、その適用に際しては、表示の終了後に、刊行物１記載の発明の「用紙センサ１２の出力が検出され、手差し用紙４７が手差しトレイ４８にセットされたと判別された場合には、前記表示が停止され、手差しトレイ４８から手差し用紙４７が搬送されてプリントされ」るという手順は、そのままで何ら変更する必要はないが、
　刊行物１記載の発明の「用紙センサ１２の出力が検出されなかった場合には、プリントはせずに、引き続き、手差し用紙４７を手差しトレイ４８にセットする要求の表示が行われる」という手順については、周知技術の適用により、表示が終了してしまっている（ＯＫボタン又は確認ボタンが押されている）から、そのまま放置すれば、手差し用紙がないことをオペレータに知らせることができないが、刊行物１記載の発明の当該手順は、オペレータに表示を継続して知らせるという基本思想であるから、当業者であれば、放置はせず、手差し用紙４７を手差しトレイ４８にセットする要求の表示を再開させることを、当然に行うというべきである。
　
　したがって、刊行物１記載の発明において、周知技術を適用して、相違点２に係る本願発明１のごとくなすことは、当業者が容易に想到し得ることである。
　
（効果について）
　また、全体として、本願発明１によってもたらされる効果も、刊行物１に記載された事項及び周知技術から当業者であれば予測することができる程度のものであって、格別のものとはいえない。
　
（まとめ）
　したがって、本願発明１は、刊行物１記載の発明及び周知技術に基づいて当業者が容易に発明をすることができたものである。
　
　
４．むすび
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。